(57)【要約】【課題】  竹、木などの自然植物を炭化炉内で燻焼して炭化させ、その素材の形状や意匠性を活かし、その表層面に手漉き和紙の溶液を付着させてなる、工芸品又は装飾品を提供する。  【解決手段】  炭化炉に収容される前に適宜長さに切断され、その節２と節２の中間部位に、予め金鋸や彫刻刀などで窓穴３を形成し、炭化炉で約６００℃〜９００℃に加熱、燻焼して炭化させた後、約２０〜２４時間、屋内で自然冷却後、炭化物の表層面４に溶液５を付着させ、該溶液５内の水分を約１０℃以上の室温で自然乾燥させて固結され、窓穴３には造花６などが投入され、一輪挿しの花器とされている。【選択図】図１
0003104227.tif 000002
【実用新案登録請求の範囲】
【請求項１】
炭化炉内で燻焼された後、自然冷却された炭化物の表層面に、
粘性と接着性を付与した白色系の手漉き和紙溶液を、含浸、塗布又は吹き付けなどにより付着させてなる、炭化物を主材とする工芸品又は装飾品。
【請求項２】
前記炭化物が、竹、木、野菜、果物又は植物の実などの自然植物であることを特徴とする、請求項１記載の、炭化物を主材とする工芸品又は装飾品。
【請求項３】
前記手漉き和紙溶液が、楮、三椏、雁皮、麻などの靭皮を叩解した白色系の繊維に、接着剤として黄蜀葵などを付加し、適量の水を加え混合、撹拌してなることを特徴とする、請求項１記載ないし請求項２記載の、炭化物を主材とする工芸品又は装飾品。
【考案の詳細な説明】
【技術分野】
【０００１】
本考案は、炭化物を主材とする工芸品又は装飾品に係り、さらに詳しくは、竹、木、野菜、果物又は植物の実などの自然植物を炭化炉内で燻焼して炭化させ、その素材の形状や意匠性を活かし、該炭化物の表層面に、予め製造し用意された手漉き和紙の溶液を、各種の方法や手段で付着させてなる、炭化物を主材とする工芸品又は装飾品に関する。
【背景技術】
【０００２】
竹炭、木炭などの炭化物は、その特性である多孔質などにより、室内に載置すれば調湿、脱臭、空気浄化作用などが機能し、さらにはマイナスイオン発生による、リラックス効果や健康増進などの諸効果があることが知られている。
【０００３】
上述した炭化物の特性を活かし、その粒体などは、他の素材と組み合わされて各種工業製品とりわけ、建築物などの壁、床および天井などの内装材に広く利用されている。
【０００４】
竹炭、木炭など炭化物の欠点は、手に触れると汚れ易く、使用時にはその表層面から粉塵が飛散し、これを吸入すると、人体に多大な悪影響を及ぼすことになるのみならず、取扱い上の難点もあり、また炭化物は、黒色系の色を呈しているので、外観上も好印象を与えない素材であるため、人の目に触れる場所などでの使用は、敬遠される場合が多く、さらに少しの振動や僅かな衝撃で損壊し、手足を負傷することもあるので、安全上の問題もある。
【０００５】
手漉き和紙は、日本古来からの製紙法によるものであり、これを使用した各種製品は、洋紙と異なり、豊かな風合いと風情を醸し出すと共に、柔軟性、通気性、保存性および強靱性なども合わせ有し、装飾、工芸品として好適な素材とされている。
【０００６】
竹炭、木炭などの炭化物を主材とした、工芸品又は装飾品制作の従来の方法としては、炭化物の表面に、和紙を指先で小さくちぎり取ったり、または鋏などにより所望の形状にカットし、その和紙の裏面に接着剤を塗布し、炭化物の所定部位に貼着している。
【０００７】
上記従来の制作法では、和紙のちぎり取りまたは、カット作業や接着剤の塗布作業などは煩雑であり、また制作中に炭化物の黒色が手に付着し、その黒色が貼着した和紙の表面に転着し易く、その修正や和紙の取り替え作業などのために、作品の完成が遅延することになり、さらに完成した工芸品又は装飾品は、強度が不十分なので、極めて簡単に損壊する虞がある。
【０００８】
炭を使用した室内装飾具として、実用新案登録第３０８４７９４号が開示されている。これは、発泡スチロールを芯材にして、その周囲に炭の粉末を練り固めた炭層を被着させて花卉支持体を形成し、この花卉支持体に造花を挿し、その外側を通気性の良い紙（又は布）で包むように構成されている。
【特許文献１】実用新案登録第３０８４７９４号公報
【考案の開示】
【考案が解決しようとする課題】
【０００９】
しかしながら上記、非特許文献１によると、室内装飾具が完成するまでには、芯材の製作工程、炭の粉末製造工程、花卉支持体の形成工程、紙（又は布）による包被工程と多くの工程を要するので、制作コストが高くなり、また花卉支持体は、そのほぼ全体を紙（又は布）により包被されているので、室内の脱臭、空気浄化作用などの効果が発揮されないという課題も有している。
【００１０】
本考案は、従来の炭化物を主材とした工芸品又は装飾品などの制作に関する諸課題に鑑み、鋭意検討して考案されたもので、竹、木などの自然植物を炭化炉内で燻焼して炭化させ、その素材の形状や意匠性を活かし、その表層面に手漉き和紙の溶液を、各種の方法や手段で付着させてなる、工芸品又は装飾品を提供することを目的としている。
【課題を解決するための手段】
【００１１】
請求項１に係る、炭化物を主材とする工芸品又は装飾品は、炭化炉内で燻焼された後、自然冷却された炭化物の表層面に、粘性と接着性を付与した白色系の手漉き和紙溶液を、含浸、塗布又は吹き付けなどにより付着させてなることを特徴としている。
【００１２】
請求項２は、請求項１記載の炭化物を主材とする工芸品又は装飾品において、前記炭化物が、竹、木、野菜、果物又は植物の実などの自然植物であることを特徴としている。
【００１３】
請求項３は、請求項１ないし請求項２記載の炭化物を主材とする工芸品又は装飾品において、前記手漉き和紙溶液が、楮、三椏、雁皮、麻などの靭皮を叩解した白色系の繊維に、接着剤として黄蜀葵などを付加し、適量の水を加え混合、撹拌してなることを特徴としている。
【考案の効果】
【００１４】
本考案に係る、炭化物を主材とする工芸品又は装飾品は、以下の効果を奏する。即ち、請求項１および請求項３の考案によれば、工芸品や装飾品の主材である炭化物は、その表層面を、粘性と接着性を有する手漉き和紙溶液で包被されるので、手指などが汚れることが少なくなりまた、その強度は増大し、容易に損壊することがなくなり、さらに工芸品や装飾品は、主に和室などの室内や廊下、ロビーなどに載置され、かつ、炭化物の黒色に手漉き和紙溶液の白色系が付着されているので、そのコントラストと、一種、芸術性のある水墨画に類するような、侘び寂びの雰囲気を漂わせるので、穏やかで落ち着いた風情と興趣を感じさせることができる。
【００１５】
請求項２の考案によれば、工芸品や装飾品の主材である炭化物は、竹、木、野菜、果物又は植物の実などの自然植物を素材としているので、なんらの違和感も与えることがなく、また該工芸品や装飾品は、主に和室、廊下、ロビーなどの室内に載置されるので、炭化物の特性である、調湿、脱臭、空気浄化などの諸機能と手漉き和紙の風合い、柔軟性、通気性、保存性および強靱性とが相俟って、相乗作用により室内などはいわゆる、「癒し」の好環境となり、リラックス効果と健康増進に寄与することができる。
【考案を実施するための最良の形態】
【００１６】
以下、本考案に係る、炭化物を主材とする工芸品又は装飾品の好適な実施形態について、図面を参照しながら説明する。ここにいう炭化炉とは、竹、木、野菜、果物又は植物の実などの自然植物を炭化させるための加熱炉、燻焼窯などの総称であり、工芸品は、自然植物を炭化させる前後に、手漉き和紙溶液の付着作業以外で、各種工具類によりなんらかの加工を施したものをいい、非加工のものを装飾品という。
【００１７】
図１に示すのは、竹材を主材とし、炭化された工芸品を台盤に載置した状態の斜視図で、図２は、野菜のかぼちゃを素材とし、炭化された装飾品を台盤に載置した状態の斜視図、図３は、工芸品又は装飾品の主材料である炭化物に、手漉き和紙溶液を付着する一手段である、含浸装置の一部切欠正面断面図である。
【００１８】
１は、工芸品で、炭化炉（不図示）に収容される前に適宜長さに切断され、その節２と節２の中間部位に、予め金鋸や彫刻刀などにより窓穴３が形成された後、炭化炉で約６００℃〜９００℃に加熱、燻焼して炭化させた後、炉外に搬出し、約２０〜２４時間、屋内で自然冷却後、炭化物の表層面４に手漉き和紙溶液（以下、溶液５という）を付着させ、該溶液５内の水分を約１０℃以上の室温で自然乾燥させて固結され、窓穴３には例えば、造花６などが投入され、一輪挿しの花器とされている。なお８は、台盤である。
【００１９】
図２に示すのは、畑で収穫されたかぼちゃを素材とした装飾品７で、上記竹材を素材とした工芸品１と同様に、炭化炉内に収容された後、約６００℃〜９００℃に加熱、燻焼して炭化させた後、炉外に搬出し、約２０〜２４時間、屋内で自然冷却後、炭化物の表層面４に溶液５を例えば、スプレーガン（不図示）などにより噴霧状にして吹き付けて付着させ、該溶液５内の水分を約１０℃以上の室温で自然乾燥させて固結、完成されている。
【００２０】
溶液５は、楮、三椏、雁皮、麻などを蒸煮後、その靭皮を剥離して白皮の状態とし、これを灰汁で煮塾し、流水で晒して不純物を除去し、さらに白皮となったらこれを例えば、樫、桜などの硬木で潰しながら、かつ叩解して繊維状となし、該繊維を適量の水を収容した液層（不図示）内に投入し、さらに接着剤として黄蜀葵などを付加して混合、撹拌してなるもので、接着剤として黄蜀葵の他、米糊、こんにゃく糊、水仙糊なども適宜使用され、また液層内の水、繊維および接着剤などの配分量は、炭化物の素材、形状、大小および溶液５の付着方法、手段を考慮して選択される。    
【００２１】
つぎに、溶液５を炭化物に付着する手段、方法について説明する。炭化物には素材により竹炭、木炭、花炭、飾り炭、木工炭・竹細工炭などがあり、付着手段は、その炭化物の素材、大小、形状又は数量などにより選択され、例えば、形が比較的に小さく、単品であれば絵筆や刷毛類により、溶液５が炭化物の適宜部位に塗布されるか又は、上述のように、スプレーガンなどで溶液５を噴霧状にして付着させる場合もある。
【００２２】
形が比較的に大きく、また多量の炭化物に溶液５を付着させるには、例えば図３に示す含浸装置１０などが好適である。含浸装置１０は、和紙溶液槽１１、排水槽１２および溶液排出槽１３などからなり、溶液５を和紙溶液槽１１に供給する前作業として、炭化物１４は、和紙溶液槽１１内の底部１１ａから約１０ｃｍ上部の空間部に針金などの線条鉄線１５、固定具１６、取付棒１７などで懸吊、固定がなされるが、これは溶液５を和紙溶液槽１１内に供給したとき、炭化物１４の比重が軽いため、和紙溶液槽１１内での浮遊を防ぐためである。
【００２３】
和紙溶液槽１１の底部１１ａ中央には排水穴１１ｂが設けられ、その下部には溶液５内の水Ｗと繊維を分離、濾過して排水槽１２に落下させるフィルター１８が配設されており、また和紙溶液槽１１の側壁底部１１ｃの槽外には、溶液調整バルブ１９が設けられ、ホース２０を経由して溶液排出槽１３に接続されている。
【００２４】
炭化物１４の和紙溶液槽１１内への懸吊、固定作業が終了したら、溶液５を和紙溶液槽１１の開口１１ｄより槽内へ少しずつ供給し、炭化物１４の頂部１４ａより約１０ｃｍ上位まで供給するが、その供給量は、炭化物１４である素材の種別、形状、溶液５の濃度などを検討して設定されるもので、溶液槽１１内における溶液５の沈降速度や時間なども同様に、炭化物１４の種別、形状、溶液５の濃度などにより設定し、溶液調整バルブ１９の開閉でこれを調整するものであり、また溶液５の濃度も、上記の諸条件を参考にして設定する。
【００２５】
溶液５の付着作業が終了した炭化物１４は、固定具１６、取付棒１７などと共に和紙溶液槽１１内から引き上げられ、屋内における自然乾燥により、本考案の工芸品又は装飾品の制作は完了する。
【産業上の利用可能性】
【００２６】
本考案に係る、工芸品又は装飾品は、健康指向の現代生活にあって、竹、木、野菜、果物又は植物の実などの自然植物を素材とし、その主材である炭化物は、調湿、脱臭、空気浄化などの諸機能と手漉き和紙の風合い、柔軟性、通気性、保存性および強靱性とが相俟って、相乗作用により室内などはいわゆる、「癒し」の好環境を創成することになるので、建築業界および健康産業などに多大な貢献をすることができる。
【図面の簡単な説明】
【００２７】
【図１】本考案に係る、炭化された工芸品を台盤に載置した状態の斜視図である。
【図２】同、炭化された装飾品を台盤に載置した状態の斜視図である。
【図３】含浸装置の一部切欠正面断面図である。
【符号の説明】
【００２８】
１            工芸品
２            節
３            窓穴
４            表層面
５            溶液
６            造花
７            装飾品
１０          含浸装置
１１          和紙溶液槽
１２          排水槽
１３          溶液排出槽
１４          炭化物
１５          線条鉄線
１６          固定具
１７          取付棒
１８          フィルター
１９          溶液調整バルブ
【図１】
0003104227.tif 000003
【図２】
0003104227.tif 000004
【図３】
0003104227.tif 000005